(57)【特許請求の範囲】
【請求項１】
床の所定位置に設置したベース部材と、前記ベース部材から上方に延びるポールと、前記ポールの上端側に係合することでほぼ水平状態に支持されるフレーム部材との組み合わせから成る共有空間構造体であって、前記フレーム部材は直線フレーム部材と円弧フレーム部材から成り、前記直線フレーム部材は、一端が円形の中心に配置されている連結部材に接続され、他端が前記ポールに接続された放射方向に延在する複数の同一長さのフレーム部材で構成され、前記円弧フレーム部材は、前記ポール上端間を円弧状に連結するものとし、前記連結部材と前記ポール上端部近傍との双方に、前記直線フレーム部材の端部が取り付けられる等間隔の複数の上下溝が設けられるとともに、該両者の上下溝が共通形状をなし、頭部が前記ポールおよび連結部材のそれぞれの上端部と係合するまで前記上下溝の一つに挿入される受け部材と、前記フレーム部材の両端部に取り付けられた止着部材とが、ボルトのネジ作用により近接するようにして上下溝を形成している係止片を挟持することで、前記直線フレーム部材を連結部材を介してポール間に取り付けたことを特徴とする共有空間構造体。
【請求項２】
前記円弧フレーム部材は、前記直線フレーム部材と係合している前記ポールと、該ポール以外の補助ポールとによって支持されている請求項１に記載の共有空間構造体。
【請求項３】
任意の隣り合う前記ポールと補助ポール間に閉塞体が配設されている請求項２に記載の共有空間構造体。
【請求項４】
前記円弧フレーム部材は、連繋部材により接続されている請求項１ないし３の何れかに記載の共有空間構造体。
【請求項５】
複数の前記円弧フレーム部材を連接することにより、上面視半円形または３／４円形または円形となるようにした請求項１ないし４の何れかに記載の共有空間構造体。
【請求項６】
相互に離れた前記共有空間構造体がポールを共用してまたは連結フレーム部材によって、あるいはその両者によって連接している請求項１ないし５の何れかに記載の共有空間構造体。
【発明の詳細な説明】
【０００１】
【発明の属する技術分野】
本発明は、オフィスルームやパピリヨン等の比較的広い空間体において、人と人とが自由にふれ合うことのできるオープンな空間部を有する構造体に関する。
【０００２】
【従来の技術】
近年、オフィス等のオープン化を図り、コミュニケーションを活発化させるということが唱えられ初められているが、オフィスルームやパピリヨン等の比較的広い空間体を仕切って多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等を構築する場合は、一般に、天井から床まで柱を立てて、柱の間を壁で覆うようにして部屋を造るようにしたもの、或いはパーティションにより空間を間仕切り所要のスペースを得るようにしたもの等が従来知られている。
【０００３】
【発明が解決しようとする課題】
しかしながら、上記したいずれのものも、壁やパーティションにより所要空間を画定するようになっているために、所要目的のために構築した空間構造体がそれ以外の外部空間と部分的にしか開放されていないような関係で連接するものであるから、オフィス等のオープン化によるコミュニケーションの活発化という目的を達成するための完全に解放された空間構造体とはなっていなかった。その上、柱と壁により部屋を造るようにした前者のスペース構築手段は、堅固なスペースはできるが、床や天井が取付けのために部分的に損傷する恐れがあった。また、パーティションにより間仕切りする後者のスペース構築手段は、平面的な仕切を垂直に立てただけであるから外力に対し極めて不安定であり、スペースの外郭をしっかりと保持することができない欠点を有していた。
【０００４】
本発明は、このような状況に鑑みてなされたもので、オフィス等のオープン化を図るために、所要目的のために構築した空間構造体が、それ以外の外部空間と充分開放された関係で連接している構造体（以下このような空間構造体を「共有空間構造体」と定義する。）であって、ポールとフレーム部材の組み合わせにより種々の形を取りうる堅牢で、かつ部屋のどこにも損傷を与えない共有空間構造体を提供することを目的とする。
【０００５】
【課題を解決するための手段】
上記課題を解決するために、本発明の共有空間構造体は、床の所定位置に設置したベース部材と、前記ベース部材から上方に延びるポールと、前記ポールの上端側に係合することでほぼ水平状態に支持されるフレーム部材との組み合わせから成る共有空間構造体であって、前記フレーム部材は直線フレーム部材と円弧フレーム部材から成り、前記直線フレーム部材は、一端が円形の中心に配置されている連結部材に接続され、他端が前記ポールに接続された放射方向に延在する複数の同一長さのフレーム部材で構成され、前記円弧フレーム部材は、前記ポール上端間を円弧状に連結するものとし、前記連結部材と前記ポール上端部近傍との双方に、前記直線フレーム部材の端部が取り付けられる等間隔の複数の上下溝が設けられるとともに、該両者の上下溝が共通形状をなし、頭部が前記ポールおよび連結部材のそれぞれの上端部と係合するまで前記上下溝の一つに挿入される受け部材と、前記フレーム部材の両端部に取り付けられた止着部材とが、ボルトのネジ作用により近接するようにして上下溝を形成している係止片を挟持することで、前記直線フレーム部材を連結部材を介してポール間に取り付けたことを特徴としている。
この特徴によれば、ポールとフレーム部材を組み合わせるだけで、天井や壁等を傷つけることなく共有空間構造体が構築でき、ポールの上部はフレーム部材でしっかり枠組みされているから、構造体自体が移動したり変形したりするようなことがなく堅牢であり、しかも円弧の中心部にはポールのない利用空間の富んだ共有空間構造体を提供できる。そしてポールとフレームの組み付けにおいて特殊なコネクタを幾つも用意する必要はなく、しかも連結部材とポール上端部近傍との双方に、共通形状をなす等間隔の複数の上下溝が設けられていることで、フレーム部材の組み付けが容易で、種々の形を採り得る共有空間構造体の構築に際しても手際よく組み付けることが可能である。更に頭部が前記ポールおよび連結部材のそれぞれの上端部と係合するまで前記上下溝の一つに挿入される受け部材と、前記フレーム部材の両端部に取り付けられた止着部材とが、ボルトのネジ作用により近接するようにして上下溝を形成している係止片を挟持しているので、たとえポールの上部面積が限られていても、フレーム部材に掛かる荷重はポールに設けた上下溝で受けることが可能で、しかも直線フレーム部材が上下溝の数だけポールに確実に連結固定できる。
【０００６】
本発明の共有空間構造体は、前記円弧フレーム部材は、前記直線フレーム部材と係合している前記ポールと、該ポール以外の補助ポールとによって支持されていることが好ましい。
このようにすれば、補助ポールの存在により、堅牢で安定した共有空間構造体を得ることができる。
【０００７】
本発明の共有空間構造体は、任意の隣り合う前記ポールと補助ポール間に閉塞体が配設されていることが好ましい。
このようにすれば、共有空間構造体の利用目的に合わせて、一部閉じられたオフィス空間を構築できる。
【０００８】
本発明の共有空間構造体は、前記円弧フレーム部材が、連繋部材により接続されていることが好ましい。
このようにすれば、円弧フレーム部材を分割ユニット体として構築できるので、製造が簡略化されコストが抑えられるばかりでなく、保管も楽である。
【０００９】
本発明の共有空間構造体は、複数の前記円弧フレーム部材を連接することにより、上面視半円形または３／４円形または円形となるようにすることが好ましい。
このようにすれば、部屋の雰囲気に合わせてバライテーに富んだ円形状の共有空間構造体が得られる。
【００１０】
本発明の共有空間構造体は、相互に離れた前記共有空間構造体がポールを共用してまたは連結フレーム部材によって、あるいはその両者によって連接していることが好ましい。
この特徴によれば、広がりのある使い勝手の良い共有空間構造体を構築できる。
【００１１】
【発明の実施の形態】
以下、本発明の実施例を図面に基づいて説明すると、まず図１にはワークスペースとして構築した共有空間構造体１の全体図が示されており、この共有空間構造体１は、ベース部材２と、ポール３と、フレーム部材４を組み合わせて構築されている。
【００１２】
フレーム部材４は、直線フレーム部材５（この実施例では３本示されており、それぞれ５ａ，５ｂ，５ｃとする）と円弧フレーム部材６（この実施例では２本示されており、それぞれ６ａ，６ｂとする）から成り、ポール３の上端に係合してほぼ水平状態に支持されている。
【００１３】
一点鎖線で示した円（半円のみ示す）ｐの中心に連結部材７が配置され、３本の直線フレーム部材５ａ、５ｂ、５ｃの一端がそれぞれこの連結部材７に接続されている。ポール３の上端部には各直線フレーム部材の他端が係合していると共に、２本のポール間には円弧フレーム部材６ａ、６ｂが配置されている。直線フレーム部材５ａ、５ｂ、５ｃは長さが等しくしかも円ｐの中心にある連結部材７に一端を接続することで、円弧フレーム６ａと６ｂは直線フレーム部材を曲率半径とする円ｐの一部である円弧形状になっている。
【００１４】
次に、本実施例で使用されている共有空間構造体１の具体的な構造について説明すると、図２は、ベース部材２とポール３とフレーム部材４及びトップキャップ８の組立分解図であり、ベース部材２は空間構造体の外郭を画定する床９の所定位置に設置され、その底部に設けられた数個のアジャスタ１０の位置調整により床面が多少変形或いは傾斜していてもベース部材２が常に水平状態を維持できるように構成されている。
【００１５】
ポール３の基端は、ベース部材２の床９側からポール３側に差し込んだねじ部材２ａによりポール３と着脱自在に固定されるようになっている。ポール３とベース部材２との結合方法は、これに限定されるものでなく、一般的な、棒材とそれを支える基台との従来公知の結合手段を採用すればよい。ポール３の上端は、フレーム部材４（図１における直線フレーム部材５ｂ）と着脱自在に固定されている。トップキャップ８はその底部中央に螺合雄ねじ８Ｘを有し、ポール３の上部中央に形成されている雌ねじ部３Ｘとネジ結合することにより、ポール３に形成されている溝部１１を覆うようにしてポール３に固定される。
【００１６】
図３はポール３の上面図であって、本実施例では円周に外側部が若干拡がった略Ｕ字状の８つの溝部１１が上下方向に延びており、各溝部１１の外方を向く開口１１ａの左右両側に、遊端が互いに向き合って離間する左右の係止片１２により溝部１１の一部が覆われている。
【００１７】
本実施例において溝部１１は円柱状のポールに４５°の等間隔で８個形成してあるものを使用しているが、溝の数やその方向はフレーム部材４の取付け可能な数量とその取付け方向と関連するので、共有空間構造体の設計者は、構築しようとする共有空間構造体の全体の形状から適宜選定する。また、ポール形状は円柱状と限らず、例えば四角柱状のもので４つの溝部を形成するようにしたものであってもよい。
【００１８】
図４は前記溝部１１の一つと上方から下方に向けて摺動係合できる受け部材１３を示したものであって、図４（ａ）はその側面図であり、図４（ｂ）は受け部材１３の上面図であって頭部１３ａの形状が示されており、図４（ｃ）は図４（ａ）のＡ−Ａ’断面図である。
【００１９】
受け部材１３をポール３に形成した溝部１１の上方より挿入すると、図４（ｃ）で示した受け部材１３の断面略台形状の係合凸部１３ｂがポール３に形成した略Ｕ字状の溝部１１と摺動係合し、図３の仮装線で示したように、溝部１１よりも大きい係止頭部１３ａがポール３の上端部と係合した時点で受け部材１３の下方向への移動が停止する。
【００２０】
また、図４（ａ）に示されているように、この受け部材１３には雌ねじ部１３ｃと嵌合穴１３ｄがいずれも２箇所づつ形成されていて、雌ねじ部１３ｃに螺合するボルト１４（図５参照）によって受け部材１３が係止片１２と係合できるように直線フレーム部材５ａの両端に取り付けた止着部材１５に向かって移動する。
【００２１】
図５は止着部材１５の側面図であり、この止着部材１５の一側面側には受け部材１３の嵌合穴１３ｄと嵌合する嵌合突起１５ｄが２箇所に設けられていると共に、受け部材１３の雌ねじ部１３ｃと螺合できるボルト１４を受け入れる貫通孔１５ｃとボルト１４の頭部１４ａの座部１５ｃ’が形成されている。
【００２２】
一方、止着部材１５の嵌合突起１５ｄが形成された側と対向する反対面側には直線フレーム部材５ａと嵌合する柱状突起１５ａが上下２箇所に設けられ、図２に示した直線フレーム部材５ａを構成するアッパービーム５ａ’とローワビーム５ａ”の中空部に差し込んで嵌合係止させ、この嵌合結合を更に確実なものとするために、ボルト１６により止着部材１５に設けた貫通孔１５ｂを介して両ビーム５ａ’，５ａ”の中実部に螺合させている。また、両ビーム５ａ’と５ａ”は補強のため図２に示す中間材５ｗで溶接されている。
【００２３】
図６はポール３に直線フレーム部材５ａが連結固定された図で、図６（ａ）が側面図、図６（ｂ）は図６（ａ）のＡ−Ａ’断面図である。連結固定方法は、先ず、止着部材１５を両ビーム５ａ’，５ａ”の両端にボルト１６（図５）により取り付け、受け部材１３の嵌合穴１３ｄを止着部材１５の嵌合突起１５ｄにはめ込んで一体化し、位置設定されているポール３の上方からフレーム部材５ａの端部に取り付けられている受け部材１３を溝部１１に沿って下方に移動し、受け部材１３の係止頭部１３ａがポール３の上端部に係合するまで挿入する。
【００２４】
次に、ボルト１４を止着部材１５の貫通孔１５ｃに挿入し、ボルト１４の先端部を受け部材１３の雌ねじ部１３ｃに螺合させ、その状態からボルト１４をねじ込んでいけば、受け部材１３は溝部１１内でその回動が阻止されているから、ネジ作用により受け部材１３は図６（ｂ）において図中向かって右方向に、止着部材１５は左方向に移動し、最終的にはポール３の溝部１１に形成した係止片１２を受け部材１３と止着部材１５とで挟持することで、直線フレーム部材５ａがポール３に確実に連結固定されることになる。
【００２５】
今まで、ポール３と直線フレーム部材５ａとの連結固定について述べてきたが、ポール３と円弧フレーム部材６ａ、あるいは円弧フレーム部材６ｂの連結固定も同じ様な手法により連結固定することができる。
【００２６】
次に、直線フレーム部材５ａ〜５ｃを係合支持している連結部材７の構造について図７により説明すると、図７（ａ）は図１に示されている直線フレーム部材５ａと５ｂとの結合状態を示した側面図であり、図７（ｂ）は図７（ａ）のＡ−Ａ’断面図である。
【００２７】
構造的にはポール３とフレーム５ａ、５ｂとの結合と同じで、連結部材７は外周にポールと同じように溝２１が８つ形成され、その溝の２カ所に受け部材２２が挿入され、ボルト２３により直線フレーム部材５ａと５ｂに取り付けられている止着部材２４と受け部材２２で係止片２５を挟持するように構成されている。そして、連結部材７の上下端には螺合部材等を用いてキャップ２６をかぶせる。
【００２８】
この連結部材７は円弧フレーム部材６ａや６ｂを分割構成して繋ぐ連繋部材７’としても使用される。この連繋部材７’は円弧フレーム部材のみを繋ぐので溝２１は２つあればよく連結部材７と共用にせず専用のものを製作しても良い。
このような連繋部材７’を用いることにより、円弧フレーム部材６ａ，６ｂを分割ユニット体として構築できるので、製造が簡略化され保管も楽である。
【００２９】
図１に示す本発明の共有空間構造体１の構築のための施工方法について説明すると、先ず最初に、共有空間構造体１の外郭を画定する床９の所定位置に３個のベース部材２を、床が多少変形或いは傾斜していても水平度が保てるように図２に示すアジャスタ１０を調節しながら設置する。
【００３０】
次に、３本のポール３の基端を、ベース部材２の床９側からポール３側に差し込んだねじ部材２ａによりベース部材２に固定して、３本のポール３を垂直状態に自立させる。なお、ベース部材２とポール３とが予め一体化したものを使用して、垂直状態に自立するようにしてもよい。中央のベース２は他のベース部材より大きいが、これはテーブル２０を支持するために大型となっているだけで、構造的には他の２つのベース部材２と何等変わるのもではない。
【００３１】
３本のポール３が垂直に自立した後は、両端に受け部材１３を取り付けた円弧フレーム部材６ａを、位置設定されている２つのポール３の上方から、受け部材１３をポール３に形成した溝部１１と係合させながら、溝部１１よりも大きい係止頭部１３ａがそれぞれのポール３の上端部と当接するまで挿入し、２本のボルト１４を止着部材１５の貫通孔１５ｃに挿入し、ボルト１４の先端部を受け部材１３の雌ねじ部１３ｃに螺合させてねじ込んでいけば、係止片１２が受け部材１３と円弧フレーム部材６ａの端部に形成されている止着部材１５とで挟持され、円弧フレーム部材６ａがポール３間に確実に連結固定されることになる。
【００３２】
同様にもう一つの円弧フレーム部材６ｂについてもポール３，３の上端間に支持させる。このように、３本のポール３と２個の円弧フレーム部材６ａ、６ｂを組付けた後、連結部材７に係合した直線フレーム部材５ａ〜５ｃを各ポール３に支持させる。
【００３３】
最後に、トップキャップ８を、その底部中央に設けられている螺合雄ねじ８Ｘを、ポール３の上部中央に形成されている雌ねじ部３Ｘとネジ結合させて、ポール３頂部に固定する。このトップキャップ８は溝部１１を上から覆うようになっているから、ポール３とフレーム部材４との連結がゆるんできても、受け部材１３の係止頭部１３ａがトップキャップ８によりおさえられ、フレーム部材４の上方への抜け出しが阻止できる。
【００３４】
その後は、共有空間構造体の使用目的に応じて、ポール３とフレーム部材４を適宜追加して３／４円形、円形等の所望の形の共有空間構造体を構築していく。図８はポールとフレーム部材を追加使用して構築した共有空間構造体の組み合わせを示したもので、図８（ａ）は円形の共有空間構造体の斜視図であり、図８（ｂ）は隣り合う２つの半円形共有空間構造体ＸとＸ’がポールを共用した共有空間構造体の斜視図である。このように共有空間構造体を様々の形で組み合わせることで、部屋の形や広さに対応させて使いやすい共有空間空間構造体を得ることができる。
【００３５】
図８（ａ）の円形の共有空間構造体は４つの円弧フレーム部材６ａ〜６ｄが４つのポール３に組付けられて上面視が円形となるように形づくられている。各円弧フレーム部材６ａ〜６ｄのほぼ中間部には補助支柱６ａ’、６ｂ’、６ｃ’、６ｄ’が床面９より支持されている。これら補助支柱は円弧フレーム部材の支持と、閉塞部材３０の支持とを兼ねている。
【００３６】
閉塞部材３０は補助支柱６ａ’とポール３と円弧フレーム部材６ａとで形成する空間部を閉塞するためのもので、取付方法は任意の周知の方法による。取付箇所も使用目的に応じて選定すればよく図８（ａ）に示すように４カ所必ず設ける必要はない。また、閉塞部材３０に限らず補助支柱６ａ’にあるいは補助支柱６ａ’とポール３を利用してパネル等を支持させても良い。
【００３７】
図８（ｂ）は半円形共有空間構造体Ｘと半円形共有空間構造体Ｘ’とをポール３を共用して連接したもので、半円形共有空間構造体Ｘは４つの閉塞部材３０を設け、もう一つの半円形共有空間構造Ｘ’は出入り空間Ａを除いて３つの閉塞部材３０が設けられている。このように共有空間構造体と閉塞体とをアレンジしながら構築していくことにより部屋の雰囲気にあった使い勝手の良い共有空間構造体が得られる。
【００３８】
図９は共有空間構造体が連結フレーム部材４Ｙによって連接された例を模式的に示す上面図で、例えば（ａ）〜（ｄ）に示すような各種の組み合わせが考えられる（〇がポールを、太線がフレーム部材を示す）。
【００３９】
図９（ａ）は２つの半円形共有空間構造体Ｘを連結フレーム部材４Ｙで繋いだもの、図９（ｂ）は半円形共有空間構造体Ｘと３／４円形共有空間構造体Ｙとを連結フレーム部材４Ｙで繋いだもの、図９（ｃ）は円形共有空間構造体Ｚと半円形共有空間構造体Ｘとを連結フレーム部材４Ｙで繋いだもの、図（ｄ）は２つの半円形共有空間構造体Ｘを連結フレーム部材４Ｙで繋ぎ、かつ２つの半円形共有空間構造体ＸとＸ’をポール３で共用したもので、連結フレーム部材４Ｙを組み合わせることで、部屋の形や広さに対応させて使いやすい共有空間空間構造体を得ることができる。
【００４０】
本発明の共有空間空間構造体は、特に、ポール３に形成されているフレーム部材を支持するための溝部１１が上端から下方に向かって形成されているから、フレーム部材４をポール３の上端から素早く係合或いは或いは上端に向かって離脱させることができ、複雑な形状の共有空間空間構造体の組み合わせであっても、構築、分解に手間取らない。また、ポール３とフレーム部材４の連結は部屋のどこも利用しないので、構築に際し、部屋の一部を損傷したりする恐れはなく、ポール３の上部はフレーム部材４でしっかり枠組みされているから、構造体自体が移動したり変形したりするようなこともない。しかも円形共有空間空間構造体にあっては、中央にポールがないので、広い空間を確保することができる。
【００４１】
以上、本発明の実施例を図面により説明してきたが、具体的な構成はこれら実施例に限られるものではなく、例えば、フレーム部材に照明具等を取り付けたり、ポール３にテーブル等を取付て共有空間構造体内をより使いやすくすることも本発明の変形例として含まれる。
【００４２】
【発明の効果】
本発明は以下の効果を奏する。
【００４３】
（ａ）請求項１項の発明によれば、ポールとフレーム部材を組み合わせるだけで、天井や壁等を傷つけることなく共有空間構造体が構築でき、ポールの上部はフレーム部材でしっかり枠組みされているから、構造体自体が移動したり変形したりするようなことがなく堅牢であり、しかも円弧の中心部にはポールのない利用空間の富んだ共有空間構造体を提供できる。そしてポールとフレームの組み付けにおいて特殊なコネクタを幾つも用意する必要はなく、しかも連結部材とポール上端部近傍との双方に、共通形状をなす等間隔の複数の上下溝が設けられていることで、フレーム部材の組み付けが容易で、種々の形を採り得る共有空間構造体の構築に際しても手際よく組み付けることが可能である。更に頭部が前記ポールおよび連結部材のそれぞれの上端部と係合するまで前記上下溝の一つに挿入される受け部材と、前記フレーム部材の両端部に取り付けられた止着部材とが、ボルトのネジ作用により近接するようにして上下溝を形成している係止片を挟持しているので、たとえポールの上部面積が限られていても、フレーム部材に掛かる荷重はポールに設けた上下溝で受けることが可能で、しかも直線フレーム部材が上下溝の数だけポールに確実に連結固定できる。
【００４４】
（ｂ）請求項２項の発明によれば、補助ポールの存在により、堅牢で安定した共有空間構造体を得ることができる。
【００４５】
（ｃ）請求項３項の発明によれば、共有空間構造体の利用目的に合わせて、一部閉じられたオフィス空間を構築できる。
【００４６】
（ｄ）請求項４項の発明によれば、円弧フレーム部材を分割ユニット体として構築できるので、製造が簡略化されコストが抑えられるばかりでなく、保管も楽である。
【００４７】
（ｅ）請求項５項の発明によれば、部屋の雰囲気に合わせてバライテーに富んだ円形状の共有空間構造体が得られる。
【００４８】
（ｆ）請求項６項の発明によれば、広がりのある使い勝手の良い共有空間構造体を構築できる。
【図面の簡単な説明】
【図１】本発明の実施例としての共有空間構造体の全体斜視図である。
【図２】ベース部材とポールとフレーム部材とトップキャップの組立分解図である。
【図３】ポールの上面図である。
【図４】（ａ）は受け部材の側面図であり、（ｂ）は受け部材の上面図であり、（ｃ）は
（ａ）のＡ−Ａ’断面図である。
【図５】止着部材の側面図である。
【図６】ポールに直線フレーム部材が連結固定された図で、（ａ）が側面図、（ｂ）が（ａ）のＡ−Ａ’断面図である。
【図７】（ａ）は連結部材と直線フレーム部材との結合状態を示した側面図であり、図７（ｂ）は図７（ａ）のＡ−Ａ’断面図である。
【図８】（ａ）円形の共有空間構造体の斜視図であり、（ｂ）は隣り合う２つの半円形共有空間構造体がポールを共用した共有空間構造体の斜視図である。
【図９】共有空間構造体が連結フレーム部材４Ｙによって連接された例を模式的に示す上面図である。
【符号の説明】
１                        共有空間構造体
２                        ベース部材
２ａ                      ねじ部材
３                        ポール
３Ｘ                      雌ねじ部
４                        フレーム部材
５（５ａ，５ｂ，５ｃ）    直線フレーム部材
５ａ’                    アッパービーム
５ａ”                    ローワビーム
５ｗ                      中間材
６（６ａ〜６ｄ）          円弧フレーム部材
６ａ’〜６ｄ’            補助支柱
７                        連結部材
７’                      連繋部材
８                        トップキャップ
８Ｘ                      螺合雄ねじ
９                        床
１０                      アジャスタ
１０                      係止片
１１                      溝部
１１ａ                    開口
１２                      係止片
１３                      受け部材
１３ａ                    係止頭部
１３ｂ                    断面略台形状の係合凸部
１３ｃ                    雌ねじ部
１３ｄ                    嵌合穴
１４                      ボルト
１５                      止着部材
１５ａ                    柱状突起
１５ｂ                    貫通孔
１５ｃ                    貫通孔
１５ｃ’                  座部
１５ｄ                    嵌合突起
１６                      ボルト
２０                      テーブル
２１                      溝
２２                      受け部材
２３                      ボルト
２４                      止着部材
２５                      係止片
２６                      キャップ
３０                      閉塞部材
【図１】
0003954358.tif 000002
【図２】
0003954358.tif 000003
【図３】
0003954358.tif 000004
【図４】
0003954358.tif 000005
【図５】
0003954358.tif 000006
【図６】
0003954358.tif 000007
【図７】
0003954358.tif 000008
【図８】
0003954358.tif 000009
【図９】
0003954358.tif 000010